(57)【要約】【課題】プリント配線板に形成された半田付け用ランド部の近傍に半田切り用ランド部を設けることで、半田付け時の半田の切れを良くし隣接する半田付け用ランド部間のブリッジの発生を防止することができるプリント配線板を提供することを目的とする。【解決手段】本発明のプリント配線板１は、ブリッジ防止手段を備えたプリント配線板１であって、自動半田付け装置におけるプリント配線板１の搬送方向３に直交する方向に互いに近接して並設された少なくとも２以上の半田付け用ランド部４ａを備え、ブリッジ防止手段として、各々の半田付け用ランド部４ａの搬送方向３側に所定間隔を有して形成された第１の半田切り用ランド部６を備えた構成を有する。また、本発明のプリント配線板は、ブリッジ防止手段として、半田付け用ランド部の搬送方向に向かって最後尾に所定間隔を有して形成された第２の半田切り用ランド部を備えた構成を有する。【選択図】図１
2007059498.tif 000002
【特許請求の範囲】
【請求項１】
ブリッジ防止手段を備えたプリント配線板であって、自動半田付け装置における前記プリント配線板の搬送方向に直交する方向に互いに近接して並設された少なくとも２以上の半田付け用ランド部を備え、前記ブリッジ防止手段として、各々の前記半田付け用ランド部の前記搬送方向側に所定間隔を有して形成された第１の半田切り用ランド部を備えたことを特徴とするプリント配線板。
【請求項２】
前記第１の半田切りランド部は前記半田付け用ランド部より小径に形成されていることを特徴とする請求項１に記載のプリント配線板。
【請求項３】
ブリッジ防止手段を備えたプリント配線板であって、自動半田付け装置における前記プリント配線板の搬送方向に互いに近接して並設された少なくとも２以上の半田付け用ランド部を備え、前記ブリッジ防止手段として、前記半田付け用ランド部の前記搬送方向に向かって最後尾に所定間隔を有して形成された第２の半田切り用ランド部を備えたことを特徴とするプリント配線板。
【発明の詳細な説明】
【技術分野】
【０００１】
本発明は、隣接するランド部間のブリッジの発生を防止するためのブリッジ防止手段を備えたプリント配線板に関するものである。
【背景技術】
【０００２】
従来、プリント配線板に部品を実装する際には、一般に導体パターンと実装部品のピンとの半田付けが行われている。近年、電子機器等の小型化や高性能化に伴い、プリント配線板に多数の部品が密集して実装されるため、隣接するランド部間の距離は小さくなり、さらに自動半田付け装置により半田付けが行われるため、ランド部間に跨って半田が形成されてしまう、いわゆるブリッジが発生し易くなっている。なお、自動半田付け装置としては、半田槽内の溶融半田を上方に向けて噴出させると共に、噴出する溶融半田の上部においてプリント配線板を水平方向に搬送しながら半田噴流の表面に接触させる噴流式のものが広く用いられている。以下、噴流式の自動同半田付け装置におけるブリッジの発生について図３及び図４を用いて説明する。
【０００３】
図３は一般的なプリント配線板の平面図であり、図４はブリッジが発生したプリント配線板の平面図である。
【０００４】
図中、３１はプリント配線板、３２は絶縁基板、３３は自動半田付け装置（図示せず）の搬送手段により搬送されるプリント配線板３１の搬送方向、３４ａは搬送方向３３に直交する方向に互いに近接して並設された２以上の半田付け用ランド部、３４ｂは搬送方向３３に互いに近接して並設された２以上の半田付け用ランド部、３５はプリント配線板３１の反対面側に実装される実装部品のピンが挿入される部品取り付け孔、３６は半田、３７はブリッジである。なお、図３及び図４において、絶縁基板３２上の半田付け用ランド部３４ａ，３４ｂ以外の導体パターンについては説明をわかりやすくするために図示を省略している。
【０００５】
図３に示すプリント配線板３１に対して自動半田付け装置による半田付けを行う場合、自動半田付け装置の溶融半田の噴流に半田付け用ランド部３４ａ，３４ｂを含むプリント配線板３１が接しながら、自動半田付け装置の搬送手段によりプリント配線板３１が搬送方向３３へ移動する事で半田が切断され、必要な量の半田３６のみが半田付け用ランド部３４ａ，３４ｂに載り、凝固することで半田付けが行われる。このとき、半田付け用ランド部３４ａ，３４ｂのように隣接する半田付け用ランド部３４ａ，３４ａ間又は３４ｂ，３４ｂ間が近接している場合、半田付け用ランド部３４ａ，３４ｂに載った半田３６同士が接してしまい、そのまま凝固して、図４に示すようなブリッジ３７が発生しやすくなる。
【０００６】
このようなブリッジ３７に対しては、自動半田付け装置による半田付け後に目視により確認し、ブリッジ３７があれば手作業で除去することが行われており、作業工数が増加していた。
【０００７】
そこで、ブリッジ３７を防止する手段として、半田付け用ランド部３４ａ，３４ｂの内、一部の半田付け用ランド部３４ａ，３４ｂの径を小さくしたり、所定の半田付け用ランド部３４ａ，３４ｂの一部を切り欠いたりして、半田付け用ランド部３４ａ，３４ｂ間の距離を確保することが行われており、（特許文献１）に開示されている。
【０００８】
以下、従来のブリッジ防止手段について図５を用いて説明する。
【０００９】
図５は従来のブリッジ防止手段を備えたプリント配線板の平面図である。
【００１０】
図中、３１′はプリント配線板、３８は隣接する半田付け用ランド部３４ｂより小径に形成された半田付け用ランド部、３９は隣接する半田付け用ランド部３４ｂ′側に切り欠き３９ａが形成された半田付け用ランド部である。
【００１１】
半田付け用ランド部３４ｂ，３４ｂ間の半田付け用ランド部３８の径を小さくしたり、半田付け用ランド部３９のように半田付け用ランド部３４ｂ′に近接する部分の一部を除去して切り欠き３９ａを形成したりすることで、半田付け用ランド部３４ｂと３８との間、又は、半田付け用ランド部３４ｂ′と３９との間の距離を大きくとり、図４に示したブリッジ３７の発生を防止している。
【特許文献１】実開平１−１３３７６９号公報
【発明の開示】
【発明が解決しようとする課題】
【００１２】
しかしながら上記の従来の技術では、以下のような課題を有していた。
【００１３】
（１）通常の半田付け用ランド部３４ａ，３４ｂ，３４ｂ′に比べ、半田付け用ランド部３８，３９は半田が載る面積が小さくなるため、半田付け用ランド部の強度が小さくなってしまう。特に、半田付け用ランド部３８，３９に半田付けされる実装部品がコネクタ等のように他の部品を抜き挿しするものである場合、半田付け強度が小さいため、部品の抜き挿しや振動、通電による熱等で半田付け用ランド部３８，３９が剥離してしまい、品質が低下するという課題を有していた。
【００１４】
本発明は上記従来の課題を解決するもので、プリント配線板に形成された半田付け用ランド部の近傍に半田切り用ランド部を設けることで、半田付け時の半田の切れを良くし隣接する半田付け用ランド部間のブリッジの発生を防止することができるプリント配線板を提供することを目的とする。
【課題を解決するための手段】
【００１５】
本発明は、ブリッジ防止手段を備えたプリント配線板であって、自動半田付け装置におけるプリント配線板の搬送方向に直交する方向に互いに近接して並設された少なくとも２以上の半田付け用ランド部を備え、ブリッジ防止手段として、各々の半田付け用ランド部の搬送方向側に所定間隔を有して形成された第１の半田切り用ランド部を備えたことを主要な特徴とする。
【００１６】
また、本発明は、ブリッジ防止手段を備えたプリント配線板であって、自動半田付け装置におけるプリント配線板の搬送方向に互いに近接して並設された少なくとも２以上の半田付け用ランド部を備え、ブリッジ防止手段として、半田付け用ランド部の搬送方向に向かって最後尾に所定間隔を有して形成された第２の半田切り用ランド部を備えたことを主要な特徴とする。
【発明の効果】
【００１７】
本発明によれば、対応する第１の半田切り用ランド部により半田付けランド部の半田の量が適正化され、半田の切れが良くなりブリッジの発生を防止でき、半田付け用ランド部を小径にしたり切り欠いたりする必要がないので、半田付け用ランド部の強度を損なうことなく、また、ブリッジの除去作業を少なくし作業工数を削減できコストを低減できるプリント配線板を提供することができる。
【００１８】
また、本発明によれば、半田付け用ランド部の半田は第２の半田切り用ランド部への到達によって切られるので、半田の切れが良くなりブリッジの発生を防止でき、半田付け用ランド部を小径にしたり切り欠いたりする必要がないので、半田付け用ランド部の強度を損なうことなく、また、ブリッジの除去作業を少なくし作業工数を削減できコストを低減できるプリント配線板を提供することができる。
【発明を実施するための最良の形態】
【００１９】
本発明は、プリント配線板に形成された半田付け用ランド部の近傍に半田切り用ランド部を設けることで、半田付け時の半田の切れを良くし隣接する半田付け用ランド部間のブリッジの発生を防止することができるプリント配線板を提供するという目的を、ブリッジ防止手段として、各々の半田付け用ランド部の搬送方向側に所定間隔を有して形成された第１の半田切り用ランド部を備えたことによって実現した。
【００２０】
また、本発明は、プリント配線板に形成された半田付け用ランド部の近傍に半田切り用ランド部を設けることで、半田付け時の半田の切れを良くし隣接する半田付け用ランド部間のブリッジの発生を防止することができるプリント配線板を提供するという目的を、ブリッジ防止手段として、半田付け用ランド部の搬送方向に向かって最後尾に所定間隔を有して形成された第２の半田切り用ランド部を備えたことによって実現した。
【００２１】
上記課題を解決するためになされた第１の発明は、ブリッジ防止手段を備えたプリント配線板であって、自動半田付け装置におけるプリント配線板の搬送方向に直交する方向に互いに近接して並設された少なくとも２以上の半田付け用ランド部を備え、ブリッジ防止手段として、各々の半田付け用ランド部の搬送方向側に所定間隔を有して形成された第１の半田切り用ランド部を備えた構成を有している。
【００２２】
この構成により、以下の作用を有する。
【００２３】
（１）自動半田付け装置による半田付け時において、まず第１の半田切り用ランド部に半田が載り、プリント配線板の移動によりその半田が半田付け用ランド部側に引っ張られ、その引っ張られた半田が半田付け用ランド部に載るため、半田の量が適正化され、半田の切れが良くなる。これにより、隣接する半田付け用ランド部の半田は互いに接触することなくブリッジの発生を防止できる。
【００２４】
（２）半田付け用ランド部を小径にしたり切り欠いたりする必要がないので、半田付け用ランド部の強度を損なうことなくブリッジの発生を防止できる。
【００２５】
（３）ブリッジの発生を防止できるので、ブリッジの除去作業を少なくし作業工数を削減できコストを低減できる。
【００２６】
ここで、自動半田付け装置としては噴流式のものが用いられる。
【００２７】
また、第１の半田切り用ランド部の形状としては、円形状、楕円形状、矩形状等の多角形状等が用いられる。
【００２８】
上記課題を解決するためになされた第２の発明は、第１の発明において、第１の半田切りランド部は半田付け用ランド部より小径に形成された構成を有している。
【００２９】
この構成により、第１の発明の作用に加え、以下の作用を有する。
【００３０】
（１）第１の半田切り用ランド部が半田付けランド部より小径であるので、隣接する第１の半田切り用ランド部の半田は互いに接触することなくブリッジの発生を防止できると共に、引っ張られて半田付け用ランド部に載る半田が少量となるため、さらにブリッジの発生を防止できる。
【００３１】
上記課題を解決するためになされた第３の発明は、ブリッジ防止手段を備えたプリント配線板であって、自動半田付け装置におけるプリント配線板の搬送方向に互いに近接して並設された少なくとも２以上の半田付け用ランド部を備え、ブリッジ防止手段として、半田付け用ランド部の搬送方向に向かって最後尾に所定間隔を有して形成された第２の半田切り用ランド部を備えた構成を有している。
【００３２】
この構成により、以下の作用を有する。
【００３３】
（１）半田付け用ランド部の搬送方向に向かって最後尾に第２の半田切り用ランド部を形成することで、半田付け用ランド部の半田は第２の半田切り用ランド部への到達によって切られるので、半田の切れが良くなり、半田付け用ランド部とその前方の半田付け用ランド部との間におけるブリッジの発生を防止できる。
【００３４】
（２）半田付け用ランド部を小径にしたり切り欠いたりする必要がないので、半田付け用ランド部の強度を損なうことなくブリッジの発生を防止できる。
【００３５】
（３）ブリッジの発生を防止できるので、ブリッジの除去作業を少なくし作業工数を削減できコストを低減できる。
【００３６】
ここで、第２の半田切り用ランド部の形状としては、円形状、楕円形状、矩形状等の多角形状等が用いられる。
【００３７】
（実施の形態１）
以下、本発明の実施の形態について、各図に基づいて説明する。
【００３８】
図１は本実施の形態１におけるプリント配線板の平面図である。
【００３９】
図中、１はプリント配線板、２は絶縁基板、３は自動半田付け装置（図示せず）におけるプリント配線板１の搬送方向、４ａは半田付け用ランド部、５は部品取り付け孔、６は第１の半田切り用ランド部（ブリッジ防止手段）である。なお、図１において、絶縁基板２上の半田付け用ランド部４ａ以外の導体パターンについては説明をわかりやすくするために図示を省略している。
【００４０】
以上のように構成された本実施の形態１におけるプリント配線板１について、以下そのブリッジ防止方法を図１を用いて説明する。
【００４１】
通常の噴流式の自動半田付け装置では、半田コテ等を用いた半田付けのように必要量の半田のみを半田付け用ランド部に載せるのではなく、半田付け用ランド部に溶融半田の噴流を接触させ、コンベア等の搬送手段によりプリント配線板を移動させて半田を切って載せているので、必要量以上の半田が半田付け用ランド部に載ってしまい、上記背景技術で図４を用いて説明したように、近接している半田付け用ランド部３４ａ，３４ｂの半田３６同士が接してしまい、そのまま凝固してブリッジ３７が発生する。そこで、図１に示すように搬送方向３に直交する方向に互いに近接して並設された少なくとも２以上の半田付け用ランド部４ａを有するプリント配線板１において、半田付け用ランド部４ａの搬送方向３側に所定間隔を有して第１の半田切り用ランド部６を形成している。
【００４２】
噴流式の自動半田付け装置（図示せず）による半田付け時には、プリント配線板１に溶融半田の噴流が接して、まず第１の半田切り用ランド部６に半田が載り、第１の半田切り用ランド部６にのった半田はプリント配線板１が搬送方向３に移動することでその後方の半田付け用ランド部４ａ側に引っ張られる。このとき、第１の半田切り用ランド部６は半田付け用ランド部４ａより小径であるので、直交方向に隣接する第１の半田切り用ランド部６の半田は互いに接触することなく分離されブリッジが発生することはない。また、半田付け用ランド部４ａ側に引っ張られた半田は、第１の半田切り用ランド部６が小径なので少量であり、その少量の半田が半田付け用ランド部４ａに到達するため、第１の半田切り用ランド部６に載る半田の量が抑制される。このため、直交方向に近接する半田付け用ランド部４ａの半田は互いに接触することなく分離されブリッジが発生することはない。
【００４３】
以上のように本実施の形態１におけるプリント配線板１は構成されているので、以下のような作用を有する。
【００４４】
（１）各々の半田付け用ランド部４ａの搬送方向３側に所定間隔を有して形成された第１の半田切り用ランド部（ブリッジ防止手段）６を備えているので、半田付け用ランド部４ａに載る半田の量が適正化され半田の切れが良くなり、ブリッジの発生を防止できる。
【００４５】
（２）半田付け用ランド部４ａを小径にしたり切り欠いたりする必要がないので、半田付け用ランド部４ａの強度を損なうことなくブリッジの発生を防止できる。
【００４６】
（３）ブリッジの発生を防止できるので、ブリッジの除去作業を少なくし作業工数を削減できコストを低減できる。
【００４７】
（４）第１の半田切り用ランド部６が半田切りランド部４ａより小径であるので、隣接する第１の半田切り用ランド部６の半田は互いに接触することなくブリッジの発生を防止できると共に、引っ張られて半田付け用ランド部４ａに載る半田が少量となるため、さらにブリッジの発生を防止できる。
【００４８】
（実施の形態２）
次に、本発明の他の実施の形態について説明する。
【００４９】
図２は本実施の形態２におけるプリント配線板の平面図である。
【００５０】
図中、２は絶縁基板、３は搬送方向、５は部品取り付け孔であり、これらは実施の形態１において説明したものと同様のものである。１′は本実施の形態２におけるプリント配線板、４ｂ，４ｃ，４ｄは搬送方向３に互いに近接して並設された少なくとも２以上の半田付け用ランド部、７は半田付け用ランド部４ｂ〜４ｄの搬送方向３に向かって最後尾（すなわち最後尾の半田付けランド部４ｄの後方）に所定間隔を有して形成された第２の半田切り用ランド部（ブリッジ防止手段）である。
【００５１】
以上のように構成された本実施の形態２におけるプリント配線板１′について、以下そのブリッジ防止方法を図２を用いて説明する。
【００５２】
通常、搬送方向３に互いに近接して並設された２以上の半田付け用ランド部４ｂ，４ｃを有するプリント配線板１′において、噴流式の自動半田付け装置により半田付けを行なう場合、まず搬送方向３に向かって先頭の半田付けランド４ｂに半田が載り、その半田は自動半田付け装置の搬送手段によりプリント配線板１′が搬送方向３に移動することで後方の半田付け用ランド部４ｃ側に引っ張られる。引っ張られた半田は半田付け用ランド部４ｃに到達した時に切れるので、半田付け用ランド部４ｂには適正量の半田が載る。
【００５３】
ここで、上記背景技術で図３を用いて説明した従来のプリント配線板３１では、搬送方向３３に互いに近接して並設された半田付け用ランド部３４ｂの内、最後尾の半田付け用ランド部３４ｂは、引っ張られた半田を切るための半田付け用ランド部をその後方に有していないため、引っ張られた半田がそのまま半田付け用ランド部３４ｂに戻ってくることになり、その結果、必要量以上の半田が最後尾の半田付け用ランド３４ｂに載って、その前方の半田付け用ランド部の半田と接触し、図４に示すようなブリッジ３７が発生していた。そこで、図２に示すように搬送方向３に向かって最後尾の半田付け用ランド部４ｄの後方に第２の半田切り用ランド部７を形成することで、半田付け用ランド部４ｄの半田は第２の半田切り用ランド部７への到達によって切られるので、半田の切れが良くなり、半田付け用ランド部４ｄとその前方の半田付け用ランド部４ｃとの間にブリッジが発生することはない。
【００５４】
以上のように本実施の形態２におけるプリント配線板１′は構成されているので、第２の半田切り用ランド部（ブリッジ防止手段）７を備えているので、半田付け用ランド部４ｄの半田の切れが良くなり、半田付け用ランド部４ｄとその前方の半田付け用ランド部４ｃとの間のブリッジの発生を防止でき、半田付け用ランド部４ｂ，４ｃ，４ｄの強度を損なうことなく、且つ、作業工数を削減しコストを低減できるという作用を有する。
【産業上の利用可能性】
【００５５】
本発明は、隣接するランド部間のブリッジの発生を防止するためのブリッジ防止手段を備えたプリント配線板に関し、特に、本発明によれば、プリント配線板に形成された半田付け用ランド部の近傍に半田切り用ランド部を設けることで、半田付け時の半田の切れを良くし隣接する半田付け用ランド部間のブリッジの発生を防止することができるプリント配線板を提供することができる。
【図面の簡単な説明】
【００５６】
【図１】本実施の形態１におけるプリント配線板の平面図
【図２】本実施の形態２におけるプリント配線板の平面図
【図３】一般的なプリント配線板の平面図
【図４】ブリッジが発生したプリント配線板の平面図
【図５】従来のブリッジ防止手段を備えたプリント配線板の平面図
【符号の説明】
【００５７】
１，１′    プリント配線板
２    絶縁基板
３    搬送方向
４ａ，４ｂ，４ｃ，４ｄ    半田付け用ランド部
５    部品取り付け孔
６    第１の半田切り用ランド部（ブリッジ防止手段）
７    第２の半田切り用ランド部（ブリッジ防止手段）
３１    プリント配線板
３２    絶縁基板
３３    搬送方向
３４ａ，３４ｂ，３４ｂ′，３８，３９    半田付け用ランド部
３５    部品取り付け孔
３６    半田
３７    ブリッジ
３９ａ    切り欠き
【図１】
2007059498.tif 000003
【図２】
2007059498.tif 000004
【図３】
2007059498.tif 000005
【図４】
2007059498.tif 000006
【図５】
2007059498.tif 000007